(57)【要約】      （修正有）【課題】堰板の撓みを許容するコンクリート用透明型枠を提供する。【解決手段】コンクリート打設時に使用され、透明プラスチック製の堰板２ａと、堰板２ａを補強する桟を有するフレーム体２ｂとで構成されているコンクリート用透明型枠において、堰板２ａには、堰板２ａをフレーム体２ｂにねじ３０を使って固定するための孔４０ａであって、ねじ３０の直径Ｌ１よりも大きく、ねじ３０の頭部の直径Ｌ３よりも小さな直径Ｌ２の複数の円筒状の孔４０ａが設けられており、ねじ３０は、堰板２ａの孔４０ａを通り、フレーム体２ｂにその先端部分がねじ留めされている。当該構成を採用することによって、堰板２ａが撓んでも孔４０ａに亀裂が入るのを効果的に防ぐことができる。【選択図】図３
0003234046.tif 000002
【実用新案登録請求の範囲】
【請求項１】
コンクリート打設時に使用され、透明プラスチック製の堰板と、前記堰板を補強する桟を有するフレーム体とで構成されているコンクリート用透明型枠において、前記堰板には、当該堰板を前記フレーム体にねじを使って固定するための孔であって、前記ねじの直径よりも大きな直径で、ねじの頭部の直径よりも小さな直径の複数の円筒状の孔が設けられており、前記ねじは、前記堰板の孔を通り、前記フレーム体にその先端部分がねじ留めされている、ことを特徴とするコンクリート用透明型枠。
【請求項２】
前記ねじは、上面が平らで、座面が円錐形の頭部を有する皿ねじで、前記円筒状の孔の上部は前記皿ねじの座面が嵌る面取りが施されている、ことを特徴とする請求項1に記載のコンクリート用透明型枠。
【考案の詳細な説明】
【技術分野】
【０００１】
本考案は、コンクリート用型枠、特に堰板に透明プラスチックを使用する型枠に関する。
【背景技術】
【０００２】
従来、図４に示すように、堰板に透明プラスチックを使用する型枠１００が提案されている（特許文献１を参照）。当該型枠は、透明プラスチック製の堰板１０１及びフレーム体１０２に木ねじ１０３を使って、または、双方に貫通孔を設け蝶ねじ１０３ａを使って強固に固定する旨開示されている。なお、ねじ留めする部分の具体的な構成の開示は無い。
【先行技術文献】
【特許文献】
【０００３】
【特許文献１】登録実用新案第３１４４６４８号公報
【考案の概要】
【考案が解決しようとする課題】
【０００４】
堰板の透明な型枠（以下、単に透明型枠）は、コンクリート打設空間内の様子が目視確認できるので便利である。しかし、堰板に透明プラスチック板を使用するため、この透明型枠は、コンクリート打設空間へのコンクリート注入時の加圧によって撓む。このため、堰板にスチール、合板等の高硬度で撓みの少ない板材を用いた型枠に用いる技術を、透明型枠にそのまま使うのが、最適でない場合も考えられた。
【０００５】
本考案は、上記従来例の問題を解決するためになされたものであり、専用に開発された構造を有する透明型枠を提供することを目的とする。
【課題を解決するための手段】
【０００６】
上記目的を達成するために本考案は、コンクリート打設時に使用され、透明プラスチック製の堰板と、前記堰板を補強する桟を有するフレーム体とで構成されているコンクリート用透明型枠において、前記堰板には、当該堰板を前記フレーム体にねじを使って固定するための孔であって、前記ねじの直径よりも大きな直径で、ねじの頭部の直径よりも小さな直径の複数の円筒状の孔が設けられており、前記ねじは、前記堰板の孔を通り、前記フレーム体にその先端部分がねじ留めされている、ことを特徴とする。
【０００７】
前記ねじは、上面が平らで、座面が円錐形の頭部を有する皿ねじで、前記円筒状の孔の上部は前記皿ねじの座面が嵌る面取りが施されている、ことが好ましい。
【考案の効果】
【０００８】
本考案によれば、透明プラスチック製の堰板のねじを差し込む孔をねじの直径よりもわずかに大きくしたことによって、コンクリート打設空間へのコンクリート注入時に透明プラスチック板が撓んでも、当該孔の部分に亀裂が生じ、堰板が割れるのを効果的に防ぐことができる。
【図面の簡単な説明】
【０００９】
【図１】トンネルの内壁面へのコンクリート打設用に、本考案の一実施の形態に係る透明プラスチック製の堰板を有する透明型枠を支持材で固定した状態を示す斜視図。
【図２】図1の内、コンクリート打設時に、コンクリート打設空間に流入されたコンクリートから受ける圧力と、その際に生じる撓みの方向を矢印で示す図。
【図３】透明型枠の堰板に設ける孔と、当該孔を通じてフレーム体にねじ留めされる皿ねじのを示す図。
【図４】透明プラスチック製の堰板にフレーム体を強固に固定した従来の透明型枠を示す。
【考案を実施するための形態】
【００１０】
本考案に係るコンクリート用透明型枠は、コンクリート打設時に使用され、透明プラスチック製の堰板と、堰板を補強する桟を有するフレーム体とで構成されている。堰板には、当該堰板を前記フレーム体にねじを使って固定するための孔であって、孔を通っているねじの部分の直径よりも大きな直径で、ねじの頭部の直径よりも小さな直径の複数の円筒状の孔が設けられており、前記ねじは、堰板の孔を通り、フレーム体にその先端部分がねじ留めされていることを特徴とする。当該構成を採用することによって、コンクリート打設空間にコンクリートを流し込んだ際に、このコンクリートから受ける圧力で、透明プラスチック製の堰板が撓んだ時でも、ねじが孔内部に当たり、これが原因で亀裂が入ることを防ぐ。結果、透明プラスチック製の堰板が割れて所望しない空間へコンクリートがあふれ出ることを効果的に防ぐことができる。
【００１１】
なお、ねじは、上面が平らで、座面が円錐形の頭部を有する皿ねじで、円筒状の孔の上部は皿ねじの座面が嵌る面取りが施されていることが好ましい。当該構成を採用することによって、ねじの座面と、孔の面取りが施されている個所でねじの自動アライメント（配列）調節機能が発揮され、堰板に元の状態に戻ろうとする力を作用させることができる。
【００１２】
本考案の一実施の形態に係るコンクリート用透明型枠を用いて、本考案の型枠の構成及びそれによって得られる作用効果について説明する。
【００１３】
図1は、トンネルの壁面にコンクリートを打設する際に組む型枠１を示す斜視図である。型枠１は、全部で７つのコンクリート用透明型枠２〜８を用いて組み立てられている。コンクリート用透明型枠２〜８は、コンクリート打設時に使用され、透明プラスチック製の堰板２ａ、３ａ、４ａ、５ａ、６ａ、７ａ、８ａと、この堰板を補強する桟を有するフレーム体２ｂ、３ｂ、４ｂ、５ｂ、６ｂ、７ｂ、８ｂとで構成されている。本図では、理解の容易のため、実際の実施例の場合よりも堰板の厚みを厚く表している。
【００１４】
型枠1は、上部に、２つで１／２円のドーム形状をつくる１／４円弧状の型枠２、３と、平らな型枠４、５、６と、床面と壁面とを傾斜面を介して繋ぐ型枠７、８と、で構成されている。型枠２〜８には、図面で奥行方向への撓みを無くすための支持材９〜２１が設けられている。
【００１５】
図２は、本考案で解決しようとする撓みについて理解の容易のため、図１に示した、支持材９〜２１を省略し、更に、透明プラスチック製の堰板を不透明にして表す斜視図である。トンネルを設ける地肌部分と型枠１との間に形成されるコンクリート打設空間に流入されたコンクリートによって矢印Ａ１、Ａ２、Ａ３といった圧力が加えられる。この力により、矢印Ｂ１、Ｂ２、Ｂ３といった向きに透明プラスチック製の堰板を撓ませる応力が掛かる。プラスチック樹脂は、一般に、スチールに比べて、亀裂が入り、割れやすい性質を持つ。図４に示した従来のコンクリート用透明型枠１００は、透明プラスチックの堰板１０１及びフレーム体１０２の双方を木ねじで強固に留める。このため、例えば、流入したコンクリートから空気を抜くため振動を与えた場合等に、ねじ孔にねじが強く当たり、亀裂が入り、割れてしまう虞があった。これに対し、本考案の型枠１では、堰板のねじを通す孔にねじが僅かに動ける遊びの空隙を設け、堰板が撓んだ時でも孔に亀裂が入りにくいようにした。
【００１６】
図３は、例えば、透明型枠２の透明プラスチック製の堰板２ａと、補強用のフレーム体２ｂとのねじ止め部分を詳しく示す図である。堰板２ａには、ねじ３０を使ってフレーム体２ｂをねじ留めするための孔であって、ねじ３０の軸直径Ｌ１よりも大きな直径で、ねじの頭部の直径（ワッシャーを使う場合は、当該ワッシャーの直径）Ｌ３よりも小さな直径Ｌ２（Ｌ１＜Ｌ２＜Ｌ３）のねじ溝の無い円筒状の孔４０ａが設けられている。堰板２ａには、孔４０ａと同様の孔がフレーム体２２ａの取付位置にそれぞれ設けられている。ねじ３０は、堰板２ａの孔４０ａを通り、フレーム体２ｂにその先端部分がねじ留めされている。当該条件を満たす孔４０ａを設けたことによって、コンクリート打設空間にコンクリートを流し込んだ際に、このコンクリートから受ける圧力で、透明プラスチック製の堰板２ａが撓んだ時でも、孔４０ａに亀裂が入ることを防ぎ、結果、所望しない空間へコンクリートがあふれ出ることを効果的に防ぐことができる。
【００１７】
好ましい実施形態として、図３に示すように、ねじ３０に、上部が平らで座面が円錐形になっている皿ねじを採用する。透明プラスチック製の堰板に設ける孔は、図３に示すように、皿ねじの座面が嵌るように、上部の縁が面取りされて、逆三角錘状に切欠いておく。当該構成を採用することで、皿ねじの頭部が孔の上部面取りした箇所に嵌合するようになっており、点線５０で囲んで示す、堰板の孔４０ａの下部の処でのみ、撓んだ時にねじが動くようになる。即ち、当該構成を採用することによって、ねじの座面と、孔の面取りが施されている個所でねじの自動アライメント（配列）調節機能が発揮され、堰板に撓む前の状態に戻ろうとする力を作用させることができる。
【００１８】
以上説明したように、本考案の透明型枠は、堰板のねじを通す孔にねじが僅かに動ける遊びの空隙を設け、堰板が撓んだ時でも孔に亀裂が入りにくいようにした。
【００１９】
なお、本考案は、上記各種実施形態の構成に限られず、考案の趣旨を変更しない範囲で種々の変形が可能である。例えば、使用するねじは、孔４０ａを通る部分（点線５０で囲んで示す部分）にねじ山が無いものを用いても良い。この場合、堰板の撓みによって孔に亀裂が入るのをより効果的に防ぐことができる。
【産業上の利用可能性】
【００２０】
本考案の透明型枠は、トンネルの壁面、橋梁等の製造時にコンクリートを打設する用途だけでなく、２つ以上の型枠で囲みを作り、造形する場合にも、当然使用できる。
【符号の説明】
【００２１】
１            透明型枠
２〜８        透明プラスチック製の堰板
２ａ〜８ａ    堰板
２ｂ〜８ｂ    フレーム体
９〜２１      支持材
３０          皿ねじ
４０ａ        孔
５０          点線で囲んで示す可動領域
【図１】
0003234046.tif 000003
【図２】
0003234046.tif 000004
【図３】
0003234046.tif 000005
【図４】
0003234046.tif 000006